(57)【要約】  エレベータ用ロープにおいては、外周に複数本の外層子縄が配置されている。各外層子縄は、外周に配置されている複数本の外層素線を有している。また、外層子縄は、エレベータ用ロープの製造情報を表示する複数本の情報表示子縄を含んでいる。情報表示子縄の外層素線は、複数本の第１の素線と、第１の素線と色が異なる複数本の第２の素線とを含んでいる。２本以上の情報表示子縄における第２の素線の配置状態の組み合わせにより、製造情報が表示されている。
2016079799.tif 000002
【特許請求の範囲】
【請求項１】
外周に配置されている複数本の外層子縄を備え、
各前記外層子縄は、外周に配置されている複数本の外層素線を有しているエレベータ用ロープであって、
前記外層子縄は、前記エレベータ用ロープの製造情報を表示する複数本の情報表示子縄を含んでおり、
前記情報表示子縄の前記外層素線は、複数本の第１の素線と、前記第１の素線と色が異なる複数本の第２の素線とを含んでおり、
２本以上の前記情報表示子縄における前記第２の素線の配置状態の組み合わせにより、前記製造情報が表示されているエレベータ用ロープ。
【請求項２】
前記情報表示子縄における前記第２の素線の配置状態は、前記情報表示子縄の長手方向に直角な断面の周方向への前記第２の素線の配置ピッチである請求項１記載のエレベータ用ロープ。
【請求項３】
前記情報表示子縄における前記第２の素線の配置状態は、前記第２の素線の本数である請求項１記載のエレベータ用ロープ。
【請求項４】
前記外層子縄は、前記製造情報の区切り位置を知らせる区切り位置表示子縄を含んでおり、
前記区切り位置表示子縄は、全ての前記情報表示子縄と見た目が異なっている請求項１から請求項３までのいずれか１項に記載のエレベータ用ロープ。
【請求項５】
前記区切り位置表示子縄の前記外層素線は、全て同じ色である請求項４記載のエレベータ用ロープ。
【請求項６】
前記外層子縄は、前記製造情報の読み取り方向を知らせる方向表示子縄を含んでおり、
前記方向表示子縄は、前記区切り位置表示子縄に隣接して配置されており、かつ、全ての前記情報表示子縄及び前記区切り位置表示子縄と見た目が異なっている請求項４又は請求項５に記載のエレベータ用ロープ。
【請求項７】
前記第１の素線は着色加工が施されていない裸線であり、前記第２の素線は着色加工を施した着色線である請求項１から請求項６までのいずれか１項に記載されたエレベータ用ロープ。
【請求項８】
前記着色加工は、めっき加工である請求項７記載のエレベータ用ロープ。
【請求項９】
駆動シーブを有する巻上機、
外周に配置されている複数本の外層子縄を有しており、前記駆動シーブに巻き掛けられているエレベータ用ロープ、及び
前記エレベータ用ロープにより吊り下げられており、前記巻上機により昇降路内を昇降するかご
を備え、
各前記外層子縄は、外周に配置されている複数本の外層素線を有しており、
前記外層子縄は、前記エレベータ用ロープの製造情報を表示する複数本の情報表示子縄を含んでおり、
前記情報表示子縄の前記外層素線は、複数本の第１の素線と、前記第１の素線と色が異なる複数本の第２の素線とを含んでおり、
２本以上の前記情報表示子縄における前記第２の素線の配置状態の組み合わせにより、前記製造情報が表示されているエレベータ装置。
【発明の詳細な説明】
【技術分野】
【０００１】
この発明は、複数本の子縄が撚り合わせられているエレベータ用ロープ、及びそれを用いたエレベータ装置に関するものである。
【背景技術】
【０００２】
従来の荷役機械用ワイヤロープでは、ロープ芯部の外周に複数本の側ストランドが撚り合わせられている。各側ストランドは、複数本の鋼製素線を撚り合わせて構成されている。一部の側ストランドにおいて、最外層の一部の素線には、めっき加工が施されている（例えば、特許文献１参照）。【０００３】
また、他の従来の荷役機械用ワイヤロープでは、側ストランドの内周層が、複数本のめっき素線により構成されている。また、側ストランドの外周層が複数本の非めっき層により構成されている（例えば、特許文献２参照）。【０００４】
一方、従来のエレベータ用ロープでは、製造時期及び製造ロット等の製造情報を記録したデータプレート（名板）が、ロープの出荷時にロープそのものに添付される。ロープの出荷後、データプレートは、ロープから外され、ロープが使用されるエレベータの機器に貼り付けられる。そして、ロープの使用中に何等かの理由で製造情報を確認する必要が生じた場合、作業者によりデータプレートが確認される。
【先行技術文献】
【特許文献】
【０００５】
【特許文献１】特許第２９２００８２号公報
【特許文献２】特開平８−１７６９７６号公報
【発明の概要】
【発明が解決しようとする課題】
【０００６】
しかしながら、従来のエレベータ用ロープでは、例えば隣接するエレベータ同士が同じ仕様のエレベータである場合に、データプレートとロープとの組み合わせが不明確になることがある。また、何等かの理由でロープの交換が実施された場合に、古いロープのデータプレートが新しいロープのデータプレートに交換されないなどの理由により、使用しているロープとデータプレートとが適正に対応しない状況が発生することがある。さらに、上記のような混乱が一旦発生してしまうと、その後にロープとデータプレートとの対応を確認することが困難となる。【０００７】
これに対して、特許文献１、２に示された従来のワイヤロープでも、単に一部の素線にめっき加工を施しているだけであるため、ワイヤロープに製造情報を表示することはできない。また、特許文献１では、ロープの経年変化を確認するための識別鋼線にめっき加工を施して他の素線と識別し易くするだけであり、製造情報の表示については何等言及されていない。【０００８】
この発明は、上記のような課題を解決するためになされたものであり、対応する製造情報をより確実に確認することができるエレベータ用ロープ、及びそれを用いたエレベータ装置を得ることを目的とする。
【課題を解決するための手段】
【０００９】
この発明に係るエレベータ用ロープは、外周に配置されている複数本の外層子縄を備え、各外層子縄は、外周に配置されている複数本の外層素線を有しており、外層子縄は、エレベータ用ロープの製造情報を表示する複数本の情報表示子縄を含んでおり、情報表示子縄の外層素線は、複数本の第１の素線と、第１の素線と色が異なる複数本の第２の素線とを含んでおり、２本以上の情報表示子縄における第２の素線の配置状態の組み合わせにより、製造情報が表示されている。
この発明に係るエレベータ装置は、駆動シーブを有する巻上機、外周に配置されている複数本の外層子縄を有しており、駆動シーブに巻き掛けられているエレベータ用ロープ、及びエレベータ用ロープにより吊り下げられており、巻上機により昇降路内を昇降するかごを備え、各外層子縄は、外周に配置されている複数本の外層素線を有しており、外層子縄は、エレベータ用ロープの製造情報を表示する複数本の情報表示子縄を含んでおり、情報表示子縄の外層素線は、複数本の第１の素線と、第１の素線と色が異なる複数本の第２の素線とを含んでおり、２本以上の情報表示子縄における第２の素線の配置状態の組み合わせにより、製造情報が表示されている。
【発明の効果】
【００１０】
この発明のエレベータ用ロープ及びエレベータ装置は、２本以上の情報表示子縄における第２の素線の配置状態の組み合わせにより、製造情報が表示されているので、製造情報をロープ自体に表示することができ、対応する製造情報をより確実に確認することができる。
【図面の簡単な説明】
【００１１】
【図１】この発明の実施の形態１によるエレベータ装置を示す側面図である。
【図２】図１のエレベータ用ロープの一部を拡大して示す側面図である。
【図３】図２のＩＩＩ−ＩＩＩ線に沿う断面図である。
【図４】図３の情報表示子縄による製造情報の表示方法の第１の例を示す説明図である。
【図５】図３の情報表示子縄による製造情報の表示方法の第２の例を示す説明図である。
【図６】図３の情報表示子縄による製造情報の表示方法の第３の例を示す説明図である。
【図７】３本の情報表示子縄を１組として製造情報を表示する変形例を示す説明図である。
【発明を実施するための形態】
【００１２】
以下、この発明を実施するための形態について、図面を参照して説明する。
実施の形態１．
図１はこの発明の実施の形態１によるエレベータ装置を示す側面図である。図において、昇降路１の上部には、機械室２が設けられている。機械室２内には、機械台３が設置されている。機械台３上には、巻上機４が支持されている。巻上機４は、駆動シーブ５及び巻上機本体６を有している。巻上機本体６は、駆動シーブ５を回転させる巻上機モータと、駆動シーブ５の回転を制動する巻上機ブレーキとを有している。
【００１３】
機械台３には、そらせ車７が取り付けられている。駆動シーブ５及びそらせ車７には、複数本（図では１本のみ示す）のエレベータ用ロープ８が巻き掛けられている。駆動シーブ５の外周には、エレベータ用ロープ８が挿入される複数のロープ溝（図示せず）が形成されている。
【００１４】
エレベータ用ロープ８の第１の端部には、かご９が接続されている。エレベータ用ロープ８の第２の端部には、釣合おもり１０が接続されている。かご９及び釣合おもり１０は、エレベータ用ロープ８により吊り下げられており、巻上機４の駆動力により昇降路１内を昇降する。
【００１５】
昇降路１内には、かご９の昇降を案内する一対のかごガイドレール１１と、釣合おもり１０の昇降を案内する一対の釣合おもりガイドレール１２とが設置されている。
【００１６】
かご９は、エレベータ用ロープ８が接続されたかご枠１３と、かご枠１３に支持されているかご室１４とを有している。
【００１７】
図２は図１のエレベータ用ロープ８の一部を拡大して示す側面図、図３は図２のＩＩＩ−ＩＩＩ線に沿う断面図である。エレベータ用ロープ８は、芯綱２１と、芯綱２１の外周に配置されている複数本（この例では８本）の外層子縄２２とを有している。芯綱２１は、繊維を撚り合わせて構成されている。外層子縄２２は、芯綱２１の外周に直接撚り合わせられており、エレベータ用ロープ８の最外層を構成している。
【００１８】
各外層子縄２２は、中心に配置されている芯素線２３と、芯素線２３の外周に撚り合わせられている複数本（この例では９本）の内層素線２４と、外周に配置されている複数本（この例では９本）の外層素線２５とを有している。外層素線２５は、内層素線２４の層の外周に撚り合わせられている。
【００１９】
芯素線２３、内層素線２４及び外層素線２５としては、いずれも鋼製素線が使用されている。内層素線２４の径は、芯素線２３の径及び外層素線２５の径よりも小さい。また、内層素線２４の本数は、外層素線２５の本数と同じである。このように、実施の形態１のエレベータ用ロープ８は、８×Ｓ(１９)の構成である。
【００２０】
また、外層子縄２２は、エレベータ用ロープ８の製造情報を表示する複数本（この例では６本）の情報表示子縄、即ち第１ないし第６の情報表示子縄２２ａ〜２２ｆと、製造情報の区切り位置（先頭位置）を知らせる区切り位置表示子縄２２ｇと、製造情報の読み取り方向を知らせる方向表示子縄２２ｈとを含んでいる。
【００２１】
各情報表示子縄２２ａ〜２２ｆにおける外層素線２５は、複数本（この例では７本）の第１の素線２５ａと、第１の素線２５ａと色が異なる複数本（この例では２本）の第２の素線２５ｂとを含んでいる。図２では、第１の素線２５ａを白で示し、第２の素線２５ｂに多数のドットを付して示している。また、図３では、第１の素線２５ａに通常のハッチングを付し、第２の素線２５ｂを黒で塗りつぶしている。
【００２２】
実施の形態１の第１の素線２５ａは、着色加工が施されていない裸線である。また、実施の形態１の第２の素線２５ｂは、着色加工を施した着色線である。さらに、実施の形態１の着色加工は、亜鉛めっき加工である。即ち、第２の素線２５ｂは、めっき線である。
【００２３】
エレベータ用ロープ８では、２本以上の情報表示子縄２２ａ〜２２ｆにおける第２の素線２５ｂの配置状態の組み合わせにより、製造情報が表示されている。図３の例では、第２の素線２５ｂの配置状態として、情報表示子縄２２ａ〜２２ｆの長手方向に直角な断面における周方向への第２の素線２５ｂの配置ピッチが利用されている。
【００２４】
区切り位置表示子縄２２ｇは、第１及び第２の素線２５，２５ｂの配置状態を変えることにより、全ての情報表示子縄２２ａ〜２２ｆと見た目（外観）が異なっている。この例では、区切り位置表示子縄２２ｇの外層素線２５は、全て同じ色である。具体的には、区切り位置表示子縄２２ｇでは、全ての外層素線２５が裸線である。
【００２５】
方向表示子縄２２ｈは、区切り位置表示子縄２２ｇに隣接して配置されている。また、方向表示子縄２２ｈは、第１及び第２の素線２５，２５ｂの配置状態を変えることにより、全ての情報表示子縄２２ａ〜２２ｆ及び区切り位置表示子縄２２ｇと見た目（外観）が異なっている。具体的には、方向表示子縄２２ｈの外層素線２５は、１本の第２の素線２５ｂと、８本の第１の素線２５ａとにより構成されている。
【００２６】
この例では、区切り位置表示子縄２２ｇの位置を製造情報の区切り位置とし、区切り位置表示子縄２２ｇに対して方向表示子縄２２ｈが隣接している方向に製造情報を読み取るように設定されている。このため、製造情報は、情報表示子縄２２ａが先頭で、情報表示子縄２２ｆが末尾となる。この例では、第１及び第２の情報表示子縄２２ａ，２２ｂにより製造年が、第３及び第４の情報表示子縄２２ｃ，２２ｄにより製造月が、第５及び第６の情報表示子縄２２ｅ，２２ｆにより製造ロットがそれぞれ表示されている。
【００２７】
図４は図３の情報表示子縄２２ａ〜２２ｆによる製造情報の表示方法の第１の例を示す説明図である。この例では、２本の情報表示子縄を１組として１つの情報を表示している。図４では、各組の情報表示子縄のうち、読み取り方向の上流側の情報表示子縄を「１本目」、下流側の情報表示子縄を「２本目」としている。
【００２８】
例えば、図３の第１及び第２の情報表示子縄２２ａ，２２ｂは、図４では「２」を示している。これにより、作業者は、「２」に対応する製造年を、例えば対応表（図示せず）又は予め決められた演算方法等から知ることができる。
【００２９】
また、図３の第３及び第４の情報表示子縄２２ｃ，２２ｄは、図４では「１０」を示している。これにより、作業者は、製造月が１０月であることを知ることができる。又は、「１０」に対応する製造月を、例えば対応表（図示せず）又は予め決められた演算方法等から知ることができる。
【００３０】
さらに、図３の第５及び第６の情報表示子縄２２ｅ，２２ｆは、図４では「１６」を示している。これにより、作業者は、製造ロッドが「１６」（その月の１６番目に製造されたロープ）であることを知ることができる。又は、「１６」に対応する製造ロッドを、例えば対応表（図示せず）又は予め決められた演算方法等から知ることができる。
【００３１】
なお、通常、エレベータ用ロープは、一度に製造された長尺のロープから、適用されるエレベータ装置に応じた長さ分だけ切り離して出荷される。
【００３２】
図５は図３の情報表示子縄２２ａ〜２２ｆによる製造情報の表示方法の第２の例を示す説明図である。図４の例では、第２の素線２５ｂの配置状態として、第２の素線２５ｂの配置ピッチを利用した。これに対して、図５の例では、第２の素線２５ｂの配置状態として、第２の素線２５ｂの本数を利用している。即ち、１本目の情報表示子縄における第２の素線２５ｂの本数と、２本目の情報表示子縄における第２の素線２５ｂの本数との組み合わせによって製造情報を表示している。
【００３３】
図６は図３の情報表示子縄２２ａ〜２２ｆによる製造情報の表示方法の第３の例を示す説明図である。図６の例では、第２の素線２５ｂの配置状態として、第２の素線２５ｂの配置ピッチ及び本数の両方を利用している。これにより、１本目の情報表示子縄における第２の素線２５ｂの配置状態と２本目の情報表示子縄における第２の素線２５ｂの配置状態との組み合わせの数を増やすことができる。
【００３４】
このようなエレベータ用ロープ８では、情報表示子縄２２ａ〜２２ｆにおける第２の素線２５ｂの配置状態の組み合わせにより、製造情報が表示されているので、製造情報をロープ自体に表示することができ、対応する製造情報をより確実に確認することができる。これにより、実際に使用されているエレベータ用ロープ８の製造時の履歴をより正確に照合することができる。
【００３５】
また、第２の素線２５ｂの配置状態として、第２の素線２５ｂの配置ピッチ及び本数の少なくともいずれか一方を利用したので、既存の製造装置により第２の素線２５ｂの配置状態を容易に変更することができる。
【００３６】
さらに、区切り位置表示子縄２２ｇを用いたので、製造情報の区切り位置を容易に把握することができる。
【００３７】
さらにまた、区切り位置表示子縄２２ｇの外層素線２５を全て同じ色としたので、製造情報の区切り位置をより速やかに把握することができる。
【００３８】
また、方向表示子縄２２ｈを用いたので、製造情報の読み取り方向を容易に把握することができる。
【００３９】
さらに、第１の素線２５ａを裸線とし、第２の素線２５ｂを着色線としたので、一部の外層素線２５に着色加工を施すだけで、容易に製造情報を表示することができる。
【００４０】
さらにまた、着色加工としてめっき加工を用いたので、エレベータ用ロープ８の使用により着色が薄くなるのを抑制することができ、長年に渡って安定して製造情報を表示することができる。
【００４１】
なお、製造情報は、製造年、製造月、製造ロッドに限定されるものではなく、例えば製造者、製造日、試験結果等を含んでいてもよい。
また、めっき加工は、亜鉛めっきに限定されるものではなく、例えば、ニッケルめっき、クロムめっき、アルミニウム亜鉛合金めっき、又は銅めっきなどであってもよい。
さらに、着色加工は、めっき加工に限定されるものではなく、例えば塗料を塗布する加工であってもよい。
さらにまた、上記の例では裸線を第１の素線、着色線を第２の素線としたが、逆であってもよい。
【００４２】
また、上記の例では、第１及び第２の素線２５ａ，２５ｂの２種類のみにより製造情報を表示したが、３種類以上（３色以上）の色の組み合わせを用いてもよい。
さらに、上記の例では、２本の情報表示子縄を１組として１つの情報を表示したが、３本以上の情報表示子縄を１組として１つの情報を表示してもよい。例えば、図７では、３本の情報表示子縄を１組として１つの情報を表示する例を示している。
【００４３】
さらにまた、区切り位置表示子縄は上記の例に限定されるものではなく、例えば、全ての外層素線が着色線である外層子縄を区切り位置表示子縄としたり、特定本数の着色線を含む外層子縄を区切り位置表示子縄としたりしてもよい。
また、方向表示子縄も上記の例に限定されるものではなく、例えば、１本以外の特定本数の着色線を含む外層子縄を方向表示子縄としてもよい。
さらに、上記の区切り位置表示子縄２２ｇと方向表示子縄２２ｈとを逆にしてもよい。即ち、全ての外層素線２５の色が同じ外層子縄２２を方向表示子縄とし、特定本数の外層素線２５が着色線である外層子縄２２を区切り位置表示子縄としてもよい。
【００４４】
さらにまた、情報表示子縄の特徴から区切り位置が分かれば、区切り位置表示子縄は省略してもよい。
また、読み取り方向が予め決められていれば、方向表示子縄は省略してもよい。
例えば、情報表示子縄のうちの少なくとも１本の着色線を他の情報表示子縄の着色線と異なる色に着色することより、情報表示子縄を区切り位置表示子縄又は方向表示子縄と兼用することもできる。
【００４５】
さらにまた、上記の例では、全ての情報表示子縄が２本以上の第２の素線を含んでいるが、区切り位置表示子縄及び方向表示子縄を用いなければ、又は区切り位置表示子縄及び方向表示子縄との区別が付けられれば、第２の素線を１本のみ含む情報表示子縄、又は第２の素線を含まない情報表示子縄が外層子縄に含まれていてもよい。
また、必ずしも全ての外層子縄を情報表示子縄、区切り位置表示子縄又は方向表示子縄のいずれかに振り分けなくてもよい。例えば外層子縄の本数が多い場合には、製造情報も区切り位置も読み取り方向も表示しない外層子縄が含まれていてもよい。
【００４６】
また、上記の例では、中心に繊維製の芯綱２１が配置された８×Ｓ(１９)のエレベータ用ロープ８を示したが、この発明は他の構成のワイヤロープにも適用できる。例えば、芯綱と外層子縄との間に内層子縄の層が配置されている３層構造のロープ、又は芯綱が鋼製ロープにより構成されているロープなどにも、この発明は適用できる。
さらに、この発明のエレベータ用ロープが適用されるエレベータ装置のタイプは、図１のタイプに限定されるものではない。例えば、機械室レスエレベータ、２：１ローピング方式のエレベータ装置、マルチカー方式のエレベータ装置、又はダブルデッキエレベータ等にも、この発明は適用できる。
さらに、この発明のエレベータ用ロープは、かご９を吊り下げるためのロープ以外のロープ、例えばコンペンロープやガバナロープ等にも適用することができる。
【図１】
2016079799.tif 000003
【図２】
2016079799.tif 000004
【図３】
2016079799.tif 000005
【図４】
2016079799.tif 000006
【図５】
2016079799.tif 000007
【図６】
2016079799.tif 000008
【図７】
2016079799.tif 000009
【国際調査報告】
2016079799.tif 000010
2016079799.tif 000011